(57)【要約】【課題】利便性良好に画質条件等の条件を設定する。【解決手段】デジタル放送受信機のＭＰＵ１１は、リモコン２を介して受け付けられた操作入力に基づいて、設定画面をディスプレイ１８３に表示し、設定画面を介して所定の条件を設定する条件設定部１１１と、設定画面が表示されている状態でリモコン２に配設された本体設定キーが押下された場合に、その時点で表示されている設定画面情報を画面記憶部１２１に記録すると共に、設定画面を消去して映像情報をフルスクリーン状態で表示する表示形態変更部１１２と、を備え、条件設定部１１１は、映像情報がフルスクリーン状態で表示されている状態でリモコン２に配設されたメニューリターンキーが押下された場合に、画面記憶部１２１に格納されている設定画面情報を読み出してディスプレイ１８３に表示する。【選択図】図３
2009049805.tif 000002
【特許請求の範囲】
【請求項１】
複数のキーを有するリモートコントローラと通信可能に接続され、映像情報を外部から視認可能にモニタに出力可能に構成された映像表示装置であって、
前記リモートコントローラを介して操作入力を受け付けて、受け付けられた操作入力に基づいて、予め設定された所定の条件を設定する画面である設定画面を前記モニタに表示すると共に、前記設定画面を介して、前記所定の条件を設定する条件設定手段と、
前記設定画面情報を格納する画面記憶手段と、
前記条件設定手段によって設定画面が表示されている状態で、前記リモートコントローラに配設された特定のキーである第１特定キーが押下されたことが受け付けられた場合に、第１特定キーが押下された時点で、前記条件設定手段によって表示されている設定画面情報を前記画面記憶手段に記録すると共に、前記設定画面を消去して、映像情報をフルスクリーン状態で表示する表示形態変更手段と、
を備え、
前記条件設定手段は、前記第１形態変更手段によって映像情報がフルスクリーン状態で表示されている状態で、前記リモートコントローラに配設された特定のキーである第２特定キーが押下されたことが受け付けられた場合に、前記画面記憶手段に格納されている設定画面情報を読み出してモニタに表示することを特徴とする映像表示装置。
【請求項２】
複数のキーを有するリモートコントローラと通信可能に接続され、映像情報を外部から視認可能にモニタに出力可能に構成された映像表示装置であって、
前記リモートコントローラを介して操作入力を受け付けて、受け付けられた操作入力に基づいて、前記モニタに予め設定された所定の条件を設定する画面である設定画面を表示すると共に、前記設定画面を介して、前記所定の条件を設定する条件設定手段と、
前記設定画面情報を格納する画面記憶手段と、
前記条件設定手段によって設定画面が表示されている状態で、前記リモートコントローラに配設された特定のキーである第３特定キーが押下されたことが受け付けられた場合に、第３特定キーが押下された時点で、前記条件設定手段によって表示されている設定画面情報を前記画面記憶手段に記録する画面記録手段と、
前記条件設定手段によって設定画面が表示されている状態で、前記リモートコントローラに配設された特定のキーである第４特定キーが押下されたことが受け付けられた場合に、前記設定画面を消去して、映像情報をフルスクリーン状態で表示する画面消去手段と、
を備え、
前記条件設定手段は、映像情報がフルスクリーン状態で表示されている状態で、前記リモートコントローラに配設された特定のキーである第５特定キーが押下されたことが受け付けられた場合に、前記画面記憶手段に格納されている設定画面情報を読み出してモニタに表示することを特徴とする映像表示装置。
【請求項３】
前記第３特定キー及び第５特定キーは、前記リモートコントローラに配設された同一のキーであることを特徴とする請求項２に記載の映像表示装置。
【請求項４】
前記設定画面は、モニタに表示する画質条件を設定する画面である画質設定画面を含むことを特徴とする請求項１〜請求項３のいずれかに記載の映像表示装置。
【請求項５】
前記条件設定手段は、複数の階層からなる設定画面を順次表示するものであって、前記画質設定画面は、第２階層以下の階層に設定されていることを特徴とする請求項４に記載の映像表示装置。
【請求項６】
前記画質設定画面は、前記モニタに表示する映像の輝度、コントラスト、彩度及び色合いの内、少なくとも１の項目を設定可能に構成されていることを特徴とする請求項４又は請求項５に記載の映像表示装置。
【請求項７】
テレビジョン放送を受信する受信手段と、
請求項１〜請求項６のいずれかに記載の映像表示装置と、
を備え、
前記受信手段を介して受信された映像情報をモニタに表示することを特徴とする放送受信装置。
【発明の詳細な説明】
【技術分野】
【０００１】
本発明は、複数のキーを有するリモートコントローラと通信可能に接続され、映像情報を外部から視認可能にモニタに出力可能に構成された映像表示装置に関する。特に、テレビジョン放送を受信し、受信された映像情報を外部から視認可能にモニタに出力可能に構成された放送受信装置に関する。
【背景技術】
【０００２】
従来、複数のキーを有するリモートコントローラと通信可能に接続され、映像情報を外部から視認可能にモニタに出力可能に構成された映像表示装置では、モニタが配設された環境等の条件に応じて、モニタに表示する映像の画質を設定する機能が設けられている。そこで、利便性良好に画質を設定するために、種々の装置、方法等が提案されている。
【０００３】
例えば、録画予約の設定を受ける際に、ユーザに輝度、コントラスト、彩度及び色合い等の画質パラメータを入力させ、ハードディスク又は光ディスクにこれを記録し、記録された番組を再生する際には、画像・音声信号処理回路に画質パラメータに基づいて出力する画像信号を変更する放送信号記録再生装置が開示されている（特許文献１参照）。
【特許文献１】特開２００６−２２２７７３号公報
【発明の開示】
【発明が解決しようとする課題】
【０００４】
しかしながら、上記放送信号記録再生装置では、録画予約の設定を行う際に、ユーザが輝度、コントラスト、彩度及び色合い等の画質パラメータを入力する必要があるが、これらの画質パラメータをユーザが所望する条件に設定することは、下記の原因等のために、容易ではない場合があった。
【０００５】
すなわち、画質パラメータをユーザが所望する条件に設定する際には、画質パラメータを設定するための画面である画質設定画面がモニタに表示されるため、設定された条件で表示される映像を確認する場合には、画質設定画面を一旦消去する必要があり、操作が煩雑である場合があった。
【０００６】
本発明は、上記課題に鑑みてなされたものであって、利便性良好に画質条件等の条件を設定することの可能な映像表示装置及び放送受信装置を提供することを目的としている。
【課題を解決するための手段】
【０００７】
上記目的を達成するために請求項１に記載の映像表示装置は、複数のキーを有するリモートコントローラと通信可能に接続され、映像情報を外部から視認可能にモニタに出力可能に構成された映像表示装置であって、前記リモートコントローラを介して操作入力を受け付けて、受け付けられた操作入力に基づいて、前記モニタに予め設定された所定の条件を設定する画面である設定画面を表示すると共に、前記設定画面を介して、前記所定の条件を設定する条件設定手段と、前記設定画面情報を格納する画面記憶手段と、前記条件設定手段によって設定画面が表示されている状態で、前記リモートコントローラに配設された特定のキーである第１特定キーが押下されたことが受け付けられた場合に、第１特定キーが押下された時点で、前記条件設定手段によって表示されている設定画面情報を前記画面記憶手段に記録すると共に、前記設定画面を消去して、映像情報をフルスクリーン状態で表示する表示形態変更手段と、を備え、前記条件設定手段が、前記第１形態変更手段によって映像情報がフルスクリーン状態で表示されている状態で、前記リモートコントローラに配設された特定のキーである第２特定キーが押下されたことが受け付けられた場合に、前記画面記憶手段に格納されている設定画面情報を読み出してモニタに表示することを特徴としている。
【０００８】
請求項２に記載の映像表示装置は、複数のキーを有するリモートコントローラと通信可能に接続され、映像情報を外部から視認可能にモニタに出力可能に構成された映像表示装置であって、前記リモートコントローラを介して操作入力を受け付けて、受け付けられた操作入力に基づいて、前記モニタに予め設定された所定の条件を設定する画面である設定画面を表示すると共に、前記設定画面を介して、前記所定の条件を設定する条件設定手段と、前記設定画面情報を格納する画面記憶手段と、前記条件設定手段によって設定画面が表示されている状態で、前記リモートコントローラに配設された特定のキーである第３特定キーが押下されたことが受け付けられた場合に、第３特定キーが押下された時点で、前記条件設定手段によって表示されている設定画面情報を前記画面記憶手段に記録する画面記録手段と、前記条件設定手段によって設定画面が表示されている状態で、前記リモートコントローラに配設された特定のキーである第４特定キーが押下されたことが受け付けられた場合に、前記設定画面を消去して、映像情報をフルスクリーン状態で表示する画面消去手段と、を備え、前記条件設定手段が、映像情報がフルスクリーン状態で表示されている状態で、前記リモートコントローラに配設された特定のキーである第５特定キーが押下されたことが受け付けられた場合に、前記画面記憶手段に格納されている設定画面情報を読み出してモニタに表示することを特徴としている。
【０００９】
請求項３に記載の映像表示装置は、請求項２に記載の映像表示装置であって、前記第３特定キー及び第５特定キーが、前記リモートコントローラに配設された同一のキーであることを特徴としている。
【００１０】
請求項４に記載の映像表示装置は、請求項１〜請求項３のいずれかに記載の映像表示装置であって、前記設定画面が、モニタに表示する画質条件を設定する画面である画質設定画面を含むことを特徴としている。
【００１１】
請求項５に記載の映像表示装置は、請求項４に記載の映像表示装置であって、前記条件設定手段が、複数の階層からなる設定画面を順次表示するものであって、前記画質設定画面は、第２階層以下の階層に設定されていることを特徴としている。
【００１２】
請求項６に記載の映像表示装置は、請求項４又は請求項５に記載の映像表示装置であって、前記画質設定手段が、前記モニタに表示する映像の輝度、コントラスト、彩度及び色合いの内、少なくとも１の項目を設定可能に構成されていることを特徴としている。
【００１３】
請求項７に記載の放送受信装置は、テレビジョン放送を受信する受信手段と、請求項１〜請求項６のいずれかに記載の映像表示装置と、を備え、前記受信手段を介して受信された映像情報をモニタに表示することを特徴としている。
【発明の効果】
【００１４】
請求項１に記載の映像表示装置によれば、リモートコントローラを介して操作入力が受け付けられて、受け付けられた操作入力に基づいて、モニタに予め設定された所定の条件を設定する画面である設定画面が表示されると共に、設定画面を介して、所定の条件が設定される。そして、設定画面が表示されている状態で、リモートコントローラに配設された特定のキーである第１特定キーが押下されたことが受け付けられた場合に、第１特定キーが押下された時点で表示されている設定画面情報が画面記憶手段に記録されると共に、設定画面が消去されて、映像情報がフルスクリーン状態で表示される。更に、映像情報がフルスクリーン状態で表示されている状態で、リモートコントローラに配設された特定のキーである第２特定キーが押下されたことが受け付けられた場合に、画面記憶手段に格納されている設定画面情報が読み出されてモニタに表示するため、利便性良好に条件を設定することができる。
【００１５】
すなわち、設定画面が表示されている状態で、リモートコントローラに配設された特定のキーである第１特定キーが押下されたことが受け付けられた場合に、設定画面が消去されて、映像情報がフルスクリーン状態で表示されるため、ユーザは、例えば、画質設定を行っている場合に、第１特定キーを押下することによって、設定された条件が反映された映像情報をフルスクリーン状態で確認することができるので、利便性良好に画質条件等の条件を設定することができるのである。
【００１６】
また、映像情報がフルスクリーン状態で表示されている状態で、リモートコントローラに配設された特定のキーである第２特定キーが押下されたことが受け付けられた場合に、第１特定キーが押下された時点で表示されている設定画面が画面記憶手段から読み出されて表示されるため、ユーザは、例えば、画質設定を行っている場合に、第２特定キーを押下することによって、第１特定キーが押下された時点で表示されていた設定画面を介して、再度画質設定を行うことができるので、利便性良好に画質条件等の条件を設定することができるのである。
【００１７】
請求項２に記載の映像表示装置によれば、リモートコントローラを介して操作入力が受け付けられて、受け付けられた操作入力に基づいて、モニタに予め設定された所定の条件を設定する画面である設定画面が表示されると共に、設定画面を介して、所定の条件が設定される。そして、設定画面が表示されている状態で、リモートコントローラに配設された特定のキーである第３特定キーが押下されたことが受け付けられた場合に、第３特定キーが押下された時点で表示されている設定画面情報が画面記憶手段に記録される。また、設定画面が表示されている状態で、リモートコントローラに配設された特定のキーである第４特定キーが押下されたことが受け付けられた場合に、設定画面が消去されて、映像情報がフルスクリーン状態で表示される。更に、映像情報がフルスクリーン状態で表示されている状態で、リモートコントローラに配設された特定のキーである第５特定キーが押下されたことが受け付けられた場合に、画面記憶手段に格納されている設定画面情報が読み出されてモニタに表示されるため、利便性良好に画質条件等の条件を設定することができる。
【００１８】
すなわち、設定画面が表示されている状態で、リモートコントローラに配設された特定のキーである第４特定キーが押下されたことが受け付けられた場合に、設定画面が消去されて、映像情報がフルスクリーン状態で表示されるため、ユーザは、例えば、画質設定を行っている場合に、第４特定キーを押下することによって、設定された条件が反映された映像情報をフルスクリーン状態で確認することができるので、利便性良好に画質条件等の条件を設定することができるのである。
【００１９】
また、設定画面が表示されている状態で、リモートコントローラに配設された特定のキーである第３特定キーが押下されたことが受け付けられた場合に、第３特定キーが押下された時点で表示されている設定画面情報が画面記憶手段に記録され、映像情報がフルスクリーン状態で表示されている状態で、リモートコントローラに配設された特定のキーである第５特定キーが押下されたことが受け付けられた場合に、画面記憶手段に格納されている設定画面情報が読み出されてモニタに表示されるため、ユーザは、例えば、設定画面を介して画質設定を行っている場合に、まず、第３特定キーを押下することによって、第３特定キーが押下された時点で表示されている設定画面情報を画面記憶手段に記録し、次に、第４特定キーを押下することによって、映像情報をフルスクリーン状態で確認し、更に、第５特定キーを押下することによって、第３特定キーが押下された時点で表示されていた設定画面を介して、再度画質設定を行うことができるので、利便性良好に画質条件等の条件を設定することができるのである。
【００２０】
請求項３に記載の映像表示装置によれば、第３特定キー及び第５特定キーが、リモートコントローラに配設された同一のキーであるため、リモートコントローラに配設されるキーの個数を削減することができるので、簡素な構成で利便性良好に画質条件等の条件を設定することができる。
【００２１】
請求項４に記載の映像表示装置によれば、設定画面が、モニタに表示する画質条件を設定する画面である画質設定画面を含むため、利便性良好に画質条件を設定することができる。
【００２２】
すなわち、画質設定においては、設定された画質条件が反映された映像情報をフルスクリーン状態で確認することが特に重要であるため、画質条件を設定中に容易に映像情報をフルスクリーン状態で確認することができるので、利便性良好に画質条件を設定することができるのである。
【００２３】
請求項５に記載の映像表示装置によれば、条件を設定する場合に、複数の階層からなる設定画面が順次表示され、画質設定画面が、第２階層以下の階層に設定されているため、更に利便性良好に画質条件を設定することができる。
【００２４】
すなわち、画質設定画面が、第２階層以下の階層に設定されているため、従来は、映像情報をフルスクリーン状態で確認した後、再度、画質設定画面を表示する場合には、煩雑な操作が必要であったが、画質条件を設定中に容易に映像情報をフルスクリーン状態で確認することができるので、更に利便性良好に画質条件を設定することができるのである。
【００２５】
請求項６に記載の映像表示装置によれば、モニタに表示する映像の輝度、コントラスト、彩度及び色合いの内、少なくとも１の項目が設定可能に構成されているため、利便性良好に適正な画質条件を設定することができる。
【００２６】
請求項７に記載の放送受信装置によれば、請求項１〜請求項６のいずれかに記載の映像表示装置を備えるため、利便性良好に画質条件等を設定することが可能な放送受信装置を実現することができる。
【発明を実施するための最良の形態】
【００２７】
以下に本発明の実施形態を、図面を参照しながら説明する。図１は、本発明に係るデジタル放送受信機１の構成の一例を示すブロック図である。デジタル放送受信機１（映像表示装置、放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２８】
デジタル放送受信機１は、リモコン２を介してユーザからの操作入力を受け付けて、テレビジョン放送を受信し、ディスプレイ１８３及びスピーカ１６３に、それぞれ映像及び音声を出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００２９】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３０】
操作部１４は、電源のＯＮ、ＯＦＦ操作、選局等の各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３１】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３２】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３３】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３４】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する映像を表示するものである。
【００３５】
赤外線通信部１９は、リモコン２からの電源のＯＮ、ＯＦＦ操作、選局、デジタル放送受信機１の各種設定（ディスプレイ１８３に表示する映像の画質条件の設定等）等の各種操作を受け付けるものである。
【００３６】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３７】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３８】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ１８３に映像が表示される。
【００３９】
図２は、リモコン２の一例を示す正面図である。リモコン２は、ユーザからの操作入力を受け付けて、操作入力に対応する赤外線信号を生成して、デジタル放送受信機１に対して出力するものであって、赤外線信号出力部２１、方向キー２２、決定キー２３、本体設定キー２４、メニューリターンキー２５、メニューメモリキー２６、及び、メニュークリアキー２７を備えている。赤外線信号出力部２１は、ユーザによって押下されたキーに対応する操作信号を生成し、赤外線信号に変換してデジタル放送受信機１に対して送信するものである。
【００４０】
方向キー２２は、ディスプレイ１８３に表示された複数の選択肢の中から１の選択肢を選択する場合等に押下されるキーであって、上方向キー、下方向キー、左方向キー、及び、右方向キーの４個のキーから構成されている。決定キー２３は、方向キー２２によって選択された選択肢に決定する場合等に押下されるキーである。
【００４１】
本体設定キー２４（第１特定キーに相当する）は、ディスプレイ１８３に表示された画質設定画面等の設定画面を介して条件を設定している状態で、ディスプレイ１８３に表示された画質設定画面等の設定画面を消去して、受信部１５を介して受信された映像情報をフルスクリーン状態でディスプレイ１８３に表示する場合に押下されるキーである。
【００４２】
メニューリターンキー２５（第２特定キーに相当する）は、ディスプレイ１８３に受信部１５を介して受信された映像情報がフルスクリーン状態で表示されている状態で、画質設定画面等の設定画面を再度表示する場合に押下されるキーである。
【００４３】
メニューメモリキー２６（第３特定キー、第５特定キーに相当する）は、ディスプレイ１８３に表示された画質設定画面等の設定画面を介して条件を設定している状態で、ディスプレイ１８３に表示された設定画面情報を図１に示すＲＡＭ１２（後述する画面記憶部１２１）に記録する場合に押下されるキーである。
【００４４】
また、メニューメモリキー２６は、ディスプレイ１８３に受信部１５を介して受信された映像情報がフルスクリーン状態で表示されている状態で、図１に示すＲＡＭ１２（後述する画面記憶部１２１）に格納されている設定画面情報を読み出してディスプレイ１８３に表示する場合に押下されるキーである。
【００４５】
メニュークリアキー２７（第４特定キーに相当する）は、ディスプレイ１８３に表示された画質設定画面等の設定画面を介して条件を設定している状態で、ディスプレイ１８３に表示された設定画面を消去して、受信部１５を介して受信された映像情報をフルスクリーン状態でディスプレイ１８３に表示する場合に押下されるキーである。
【００４６】
図３は、本発明に係るデジタル放送受信機１における主要部の構成の一例を示すブロック図である。デジタル放送受信機１のＭＰＵ１１は、機能的に、条件設定部１１１、表示形態変更部１１２、画面記録部１１３、及び、画面消去部１１４を備えている。また、ＲＡＭ１２は、機能的に、画面記憶部１２１を備えている。
【００４７】
ここでは、ＭＰＵ１１が、図１に示すＲＯＭ１３等に予め格納された制御プログラムを読み出して実行することにより、条件設定部１１１、表示形態変更部１１２、画面記録部１１３、画面消去部１１４等の機能部として機能すると共に、ＲＡＭ１２を、画面記憶部１２１等の機能部として機能させるものである。
【００４８】
また、ＲＡＭ１２、図１に示すＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４９】
画面記憶部１２１（画面記憶手段に相当する）は、設定画面情報を格納するものである。画面記憶部１２１に格納される設定画面情報は、表示形態変更部１１２及び画面記録部１１３によって画面記憶部１２１に記録され、条件設定部１１１によって読み出されるものである。
【００５０】
条件設定部１１１（条件設定手段に相当する）は、リモコン２を介して操作入力を受け付けて、受け付けられた操作入力に基づいて、予め設定された所定の条件を設定する画面である設定画面（例えば、図６（ａ）に示す画質設定画面４００）をディスプレイ１８３に表示すると共に、設定画面を介して、所定の条件を設定するものである。また、設定画面は、ディスプレイ１８３に表示する画質条件を設定する画面である画質設定画面を含むものである。
【００５１】
なお、条件設定部１１１は、条件を設定する場合に、複数の階層からなる設定画面を順次表示するものであって、図６（ａ）に示す画質設定画面４００は、第２階層以下の階層に設定されているものである。条件設定部１１１は、例えば、リモコン２に配設された本体設定キー２４が押下されたことが受け付けられた場合に、メニュー画面を表示し、メニュー画面に表示された所定の項目の選択が受け付けられた場合に、画質設定画面４００を表示するものである。また、図６（ａ）に示す画質設定画面４００は、ディスプレイ１８３に表示する映像の輝度、コントラスト、彩度及び色合いを設定可能に構成された画面である。
【００５２】
また、条件設定部１１１は、映像情報がフルスクリーン状態で表示されている状態で、リモコン２に配設されたメニューリターンキー２５（又はメニューメモリキー２６）（図２参照）が押下されたことが受け付けられた場合に、画面記憶部１２１に格納された設定画面情報を読み出してディスプレイ１８３に表示するものである。
【００５３】
表示形態変更部１１２（表示形態変更手段に相当する）は、条件設定部１１１によって設定画面（例えば、図６（ａ）に示す画質設定画面４００）が表示されている状態で、リモコン２に配設された本体設定キー２４が押下されたことが受け付けられた場合に、本体設定キー２４が押下された時点で、条件設定部１１１によって表示されている設定画面情報を画面記憶部１２１に記録すると共に、設定画面を消去して、受信部１５を介して受信された映像情報をフルスクリーン状態で表示するものである。
【００５４】
画面記録部１１３（画面記録手段に相当する）は、条件設定部１１１によって設定画面（例えば、図６（ａ）に示す画質設定画面４００）が表示されている状態で、リモコン２に配設されたメニューメモリキー２６が押下されたことが受け付けられた場合に、メニューメモリキー２６が押下された時点で、条件設定部１１１によって表示されている設定画面情報を画面記憶部１２１に記録するものである。
【００５５】
画面消去部１１４（画面消去手段に相当する）は、条件設定部１１１によって設定画面（例えば、図６（ａ）に示す画質設定画面４００）が表示されている状態で、リモコン２に配設されたメニュークリアキー２７が押下されたことが受け付けられた場合に、設定画面を消去して、受信部１５を介して受信された映像情報をフルスクリーン状態で表示するものである。
【００５６】
図４、図５は、デジタル放送受信機１（主にＭＰＵ１１）の動作の一例を示すフローチャートである。ここでは、便宜上、ディスプレイ１８３に表示する画質条件を設定する場合について説明する。まず、条件設定部１１１によって、画質設定画面を表示する操作（ここでは、本体設定キー２４の押下）が受け付けられたか否かの判定が行われる（Ｓ１０１）。画質設定画面を表示する操作が受け付けられていないと判定された場合（Ｓ１０１でＮＯ）には、処理が待機状態とされる。画質設定画面を表示する操作が受け付けられたと判定された場合（Ｓ１０１でＹＥＳ）には、条件設定部１１１によって、ディスプレイ１８３に画質設定画面４００（図６（ａ）参照）が表示される（Ｓ１０３）。
【００５７】
そして、条件設定部１１１によって、ステップＳ１０３において表示された画質設定画面４００を介して、画質条件の設定が受け付けられる（Ｓ１０５）。次いで、表示形態変更部１１２によって、本体設定キー２４が押下されたことが受け付けられたか否かの判定が行われる（Ｓ１０７）。本体設定キー２４が押下されたことが受け付けられていないと判定された場合（Ｓ１０７でＮＯ）には、処理が図５に示すステップＳ１１７へ進められる。本体設定キー２４が押下されたことが受け付けられたと判定された場合（Ｓ１０７でＹＥＳ）には、表示形態変更部１１２によって、ディスプレイ１８３に表示されている設定画面情報（ここでは、図６（ａ）に示す画質設定画面４００に対応する設定画面情報）が画面記憶部１２１に記録される（Ｓ１０９）。
【００５８】
そして、表示形態変更部１１２によって、ディスプレイ１８３に表示されている設定画面（ここでは、図６（ａ）に示す画質設定画面４００）が消去されて、受信部１５を介して受信された映像情報がフルスクリーン状態で表示される（Ｓ１１１）。次いで、条件設定部１１１によって、メニューリターンキー２５（又はメニューメモリキー２６）が押下されたことが受け付けられたか否かの判定が行われる（Ｓ１１３）。メニューリターンキー２５（又はメニューメモリキー２６）が押下されたことが受け付けられていないと判定された場合（Ｓ１１３でＮＯ）には、処理がステップＳ１１１に戻され、ステップＳ１１１以降の処理が繰り返し実行される。
【００５９】
メニューリターンキー２５（又はメニューメモリキー２６）が押下されたことが受け付けられたと判定された場合（Ｓ１１３でＹＥＳ）には、条件設定部１１１によって、画面記憶部１２１に格納された設定画面情報（ここでは、図６（ａ）に示す画質設定画面４００に対応する設定画面情報）が読み出されてディスプレイ１８３に表示され（Ｓ１１５）、処理がステップＳ１０５に戻され、ステップＳ１０５以降の処理が繰り返し実行される。
【００６０】
ステップＳ１０７でＮＯの場合には、図５に示すように、画面記録部１１３によって、メニューメモリキー２６が押下されたことが受け付けられたか否かの判定が行われる（Ｓ１１７）。メニューメモリキー２６が押下されたことが受け付けられていないと判定された場合（Ｓ１１７でＮＯ）には、処理が図４に示すステップＳ１０５に戻され、ステップＳ１０５以降の処理が繰り返し実行される。メニューメモリキー２６が押下されたことが受け付けられたと判定された場合（Ｓ１１７でＹＥＳ）には、画面記録部１１３によって、ディスプレイ１８３に表示されている設定画面情報（ここでは、図６（ａ）に示す画質設定画面４００に対応する設定画面情報）が画面記憶部１２１に記録される（Ｓ１１９）。
【００６１】
そして、画面消去部１１４によって、メニュークリアキー２７が押下されたことが受け付けられたか否かの判定が行われる（Ｓ１２１）。メニュークリアキー２７が押下されたことが受け付けられていないと判定された場合（Ｓ１２１でＮＯ）には、処理がステップＳ１２３に進められる。メニュークリアキー２７が押下されたことが受け付けられたと判定された場合（Ｓ１２１でＹＥＳ）には、画面消去部１１４によって、ディスプレイ１８３に表示された設定画面（ここでは、図６（ａ）に示す画質設定画面４００）が消去されて、受信部１５を介して受信された映像情報がフルスクリーン状態でディスプレイ１８３に表示される（Ｓ１２５）。
【００６２】
そして、条件設定部１１１によって、メニューメモリキー２６（又はメニューリターンキー２５）が押下されたことが受け付けられたか否かの判定が行われる（Ｓ１２７）。メニューメモリキー２６（又はメニューリターンキー２５）が押下されたことが受け付けられていないと判定された場合（Ｓ１２７でＮＯ）には、処理がステップＳ１２３に進められる。メニューメモリキー２６（又はメニューリターンキー２５）が押下されたことが受け付けられたと判定された場合（Ｓ１２７でＹＥＳ）には、条件設定部１１１によって、画面記憶部１２１に格納された設定画面情報（ここでは、図６（ａ）に示す画質設定画面４００に対応する設定画面情報）が読み出されてディスプレイ１８３に表示され（Ｓ１２９）、処理がステップＳ１０５に戻され、ステップＳ１０以降の処理が繰り返し実行される。
【００６３】
Ｓ１２１でＮＯの場合、又は、ステップＳ１２７でＮＯの場合には、条件設定部１１１によって、画質設定処理を終了する旨の操作入力が受け付けられたか否かの判定が行われる（Ｓ１２３）。画質設定処理を終了する旨の操作入力が受け付けられていないと判定された場合（Ｓ１２３でＮＯ）には、処理が図４に示すステップＳ１０５に戻され、ステップＳ１０５以降の処理が繰り返し実行される。画質設定処理を終了する旨の操作入力が受け付けられたと判定された場合（Ｓ１２３でＹＥＳ）には、処理が終了される。
【００６４】
図６（ａ）は、図４に示すフローチャートのステップＳ１０３においてディスプレイ１８３に表示される画質設定画面４００の一例を示す画面図である。画質設定画面４００には、画面全体に背景として映像表示部４０１が表示され、映像表示部４０１の左上部に、メインメニュー表示部４０２が表示されている。また、画質設定画面４００には、映像表示部４０１の略中央部に輝度設定部４０３、コントラスト設定部４０４、彩度設定部４０５、色合い設定部４０６が上から順に表示され、画面下部に、ガイダンス表示部４０８が表示されている。
【００６５】
映像表示部４０１は、受信部１５を介して受信された映像情報を表示するものである。画質設定画面４００では、映像表示部４０１は、略中央部が、メインメニュー表示部４０２、輝度設定部４０３、コントラスト設定部４０４、彩度設定部４０５、色合い設定部４０６、及び、ガイダンス表示部４０８等に遮られるため、ユーザは、設定された画質の映像を視認することが困難である。
【００６６】
メインメニュー表示部４０２は、複数の階層（ここでは、２階層）からなる設定画面の第１階層に相当するメインメニューを選択可能に表示するものであって、ここでは、画面設定が選択されている。
【００６７】
輝度設定部４０３、コントラスト設定部４０４、彩度設定部４０５、及び、色合い設定部４０６は、それぞれ、ディスプレイ１８３に表示される映像の輝度、コントラスト、彩度及び色合いを設定可能に表示するものである。例えば、輝度を設定する場合には、図２に示す方向キー２２を押下して、輝度設定部４０３を選択状態とし、更に、図２に示す方向キー２２を押下して、輝度値を所望の値に設定することによって輝度を設定することができる。なお、輝度設定部４０３を選択状態にあることは、輝度設定部４０３に対応する設定値表示部（図の輝度設定部４０３の右端に表示された四角の欄）の周囲が太線（＝選択表示マーク４０７）で表示されることによって視認することができる。
【００６８】
ガイダンス表示部４０８は、画質設定画面４００の操作方法を示すガイダンス情報を表示するものである。ガイダンス表示部４０８には、例えば、「本体設定：終了」と表示されており、本体設定キー２４を押下することによって、画質設定画面４００での設定操作を終了することができることが分かる。
【００６９】
図６（ｂ）は、図４に示すフローチャートのステップＳ１１１、及び、図５に示すフローチャートのステップＳ１２５でディスプレイ１８３に表示されるフルスクリーン画面４１０の一例を示す画面図である。フルスクリーン画面４１０には、画面全体に、受信部１５を介して受信された映像情報を表示する映像表示部４１１が表示されている。図６（ａ）に示す画質設定画面４００では、映像表示部４０１が、メインメニュー表示部４０２、輝度設定部４０３、コントラスト設定部４０４等に遮られていたが、フルスクリーン画面４１０では、映像表示部４１１を遮るものが表示されないため、ユーザは、設定された画質の映像を容易に視認することができるため、設定された画質条件の適否について適正に判断することができる。
【００７０】
このようにして、リモコン２を介してユーザから操作入力が受け付けられて、受け付けられた操作入力に基づいて、ディスプレイ１８３に予め設定された所定の条件を設定する画面である設定画面（ここでは、図６（ａ）に示す画質設定画面４００）が表示されると共に、設定画面を介して、所定の条件（ここでは、画質条件）が設定される。そして、設定画面が表示されている状態で、リモコン２に配設された本体設定キー２４が押下されたことが受け付けられた場合に、本体設定キー２４が押下された時点で表示されている設定画面情報が画面記憶部１２１に記録されると共に、設定画面が消去されて、受信部１５を介して受信された映像情報がフルスクリーン状態で表示される。更に、映像情報がフルスクリーン状態で表示されている状態で、リモコン２に配設されたメニューリターンキー２５が押下されたことが受け付けられた場合に、画面記憶部１２１に格納されている設定画面情報が読み出されてディスプレイ１８３に表示するため、利便性良好に条件を設定することができる。
【００７１】
すなわち、設定画面（ここでは、図６（ａ）に示す画質設定画面４００）が表示されている状態で、リモコン２に配設された本体設定キー２４が押下されたことが受け付けられた場合に、設定画面が消去されて、映像情報がフルスクリーン状態で表示されるため、ユーザは、例えば、画質設定を行っている場合に、本体設定キー２４を押下することによって、設定された条件が反映された映像情報をフルスクリーン状態で確認することができるので、利便性良好に画質条件等の条件を設定することができるのである。
【００７２】
また、映像情報がフルスクリーン状態で表示されている状態で、リモコン２に配設されたメニューリターンキー２５が押下されたことが受け付けられた場合に、本体設定キー２４が押下された時点で表示されている設定画面が画面記憶部１２１から読み出されて表示されるため、ユーザは、例えば、画質設定を行っている場合に、メニューリターンキー２５を押下することによって、本体設定キー２４が押下された時点で表示されていた設定画面を介して、再度画質設定を行うことができるので、利便性良好に画質条件等の条件を設定することができるのである。
【００７３】
更に、リモコン２を介してユーザから操作入力が受け付けられて、受け付けられた操作入力に基づいて、ディスプレイ１８３に予め設定された所定の条件を設定する画面である設定画面（ここでは、図６（ａ）に示す画質設定画面４００）が表示されると共に、設定画面を介して、所定の条件（ここでは、画質条件）が設定される。そして、設定画面が表示されている状態で、リモコン２に配設されたメニューメモリキー２６が押下されたことが受け付けられた場合に、メニューメモリキー２６が押下された時点で表示されている設定画面情報が画面記憶部１２１に記録される。また、設定画面が表示されている状態で、リモコン２に配設されたメニュークリアキー２７が押下されたことが受け付けられた場合に、設定画面が消去されて、受信部１５を介して受信された映像情報がフルスクリーン状態で表示される。更に、映像情報がフルスクリーン状態で表示されている状態で、リモコン２に配設されたメニューメモリキー２６が押下されたことが受け付けられた場合に、画面記憶部１２１に格納されている設定画面情報が読み出されてディスプレイ１８３に表示されるため、利便性良好に画質条件等の条件を設定することができる。
【００７４】
すなわち、設定画面（ここでは、図６（ａ）に示す画質設定画面４００）が表示されている状態で、リモコン２に配設されたメニュークリアキー２７が押下されたことが受け付けられた場合に、設定画面が消去されて、受信部１５を介して受信された映像情報がフルスクリーン状態で表示されるため、ユーザは、例えば、画質設定を行っている場合に、メニュークリアキー２７を押下することによって、設定された条件が反映された映像情報をフルスクリーン状態で確認することができるので、利便性良好に画質条件等の条件を設定することができるのである。
【００７５】
また、設定画面（ここでは、図６（ａ）に示す画質設定画面４００）が表示されている状態で、リモコン２に配設されたメニューメモリキー２６が押下されたことが受け付けられた場合に、メニューメモリキー２６が押下された時点で表示されている設定画面情報（ここでは、図６（ａ）に示す画質設定画面４００に対応する設定画面情報）が画面記憶部１２１に記録され、映像情報がフルスクリーン状態で表示されている状態で、リモコン２に配設されたメニューメモリキー２６が押下されたことが受け付けられた場合に、画面記憶部１２１に格納されている設定画面情報が読み出されてディスプレイ１８３に表示されるため、ユーザは、例えば、設定画面を介して画質設定を行っている場合に、まず、メニューメモリキー２６を押下することによって、メニューメモリキー２６が押下された時点で表示されている設定画面情報を画面記憶部１２１に記録し、次に、メニュークリアキー２７を押下することによって、映像情報をフルスクリーン状態で確認し、更に、メニューメモリキー２６を押下することによって、前回メニュークリアキー２７が押下された時点で表示されていた設定画面を介して、再度画質設定を行うことができるので、利便性良好に画質条件等の条件を設定することができるのである。
【００７６】
更に、表示されている設定画面情報を画面記憶部１２１に記録する場合に押下されるキーと、画面記憶部１２１に格納されている設定画面情報を読み出してディスプレイ１８３に表示する場合に押下されるキーと、がリモコン２に配設された同一のキー（ここでは、メニューメモリキー２６）であるため、リモコン２に配設されるキーの個数を削減することができるので、簡素な構成で利便性良好に画質条件等の条件を設定することができる。
【００７７】
加えて、設定画面が、ディスプレイ１８３に表示する画質条件を設定する画面である画質設定画面４００（図６（ａ）参照）を含むため、利便性良好に画質条件を設定することができる。
【００７８】
すなわち、画質設定においては、設定された画質条件が反映された映像情報をフルスクリーン状態で確認することが特に重要であるため、画質条件を設定中に容易に映像情報をフルスクリーン状態で確認することができるので、利便性良好に画質条件を設定することができるのである。
【００７９】
また、条件を設定する場合に、複数の階層（ここでは、２階層）からなる設定画面が順次表示され、画質設定画面４００（図６（ａ）参照）が、第２階層以下の階層（ここでは、第２階層）に設定されているため、更に利便性良好に画質条件を設定することができる。
【００８０】
すなわち、画質設定画面４００（図６（ａ）参照）が、第２階層以下の階層（ここでは、第２階層）に設定されているため、従来は、映像情報をフルスクリーン状態で確認した後、再度、画質設定画面を表示する場合には、煩雑な操作が必要であったが、画質条件を設定中に容易に映像情報をフルスクリーン状態で確認することができるので、更に利便性良好に画質条件を設定することができるのである。
【００８１】
更に、ディスプレイ１８３に表示する映像の輝度、コントラスト、彩度及び色合いが設定可能に構成されているため、利便性良好に適正な画質条件を設定することができる。
【００８２】
なお、本発明は、以下の形態にも適用可能である。
（Ａ）本実施形態では、映像表示装置が、デジタル放送受信機１である場合について説明したが、映像表示装置が、複数のキーを有するリモコン２と通信可能に接続され、映像情報を外部から視認可能にディスプレイ１８３に出力する装置であればよい。例えば、映像表示装置が、ＤＶＤプレイヤである形態でもよい。
【００８３】
（Ｂ）本実施形態では、放送受信装置が、デジタル放送受信機１である場合について説明したが、放送受信装置が、アナログ放送を受信する形態でもよいし、アナログ放送及びデジタル放送を受信する形態でもよい。
【００８４】
（Ｃ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００８５】
（Ｄ）本実施形態では、ＭＰＵ１１が、条件設定部１１１、表示形態変更部１１２、画面記録部１１３、画面消去部１１４等として機能する場合について説明したが、条件設定部１１１、表示形態変更部１１２、画面記録部１１３、及び、画面消去部１１４の内、少なくとも１の機能部が回路等のハードウェアによって構成されている形態でもよい。
【図面の簡単な説明】
【００８６】
【図１】は、本発明に係るデジタル放送受信機の一例を示すブロック図である。
【図２】は、リモコンの一例を示す正面図である。
【図３】は、本発明に係るデジタル放送受信機における主要部の構成の一例を示すブロック図である。
【図４】は、デジタル放送受信機（主にＭＰＵ）の動作の一例を示すフローチャート（前半部）である。
【図５】は、デジタル放送受信機（主にＭＰＵ）の動作の一例を示すフローチャート（後半部）である。
【図６】は、図４に示すフローチャートのステップＳ１０３においてディスプレイに表示される画質設定画面の一例を示す画面図、及び、図４に示すフローチャートのステップＳ１１１、及び、図５に示すフローチャートのステップＳ１２５でディスプレイに表示されるフルスクリーン画面の一例を示す画面図である。
【符号の説明】
【００８７】
１    デジタル放送受信機（映像表示装置、放送受信装置）
１１    ＭＰＵ
１１１    条件設定部（条件設定手段）
１１２    表示形態変更部（表示形態変更手段）
１１３    画面記録部（画面記録手段）
１１４    画面消去部（画面消去手段）
１２    ＲＡＭ
１２１    画面記憶部（画面記憶手段）
１５    受信部（受信手段）
１８    画像出力部
１８３    ディスプレイ（モニタ）
２    リモコン
２２    方向キー
２３    決定キー
２４    本体設定キー（第１特定キー）
２５    メニューリターンキー（第２特定キー）
２６    メニューメモリキー（第３特定キー、第５特定キー）
２７    メニュークリアキー（第４特定キー）
【図１】
2009049805.tif 000003
【図２】
2009049805.tif 000004
【図３】
2009049805.tif 000005
【図４】
2009049805.tif 000006
【図５】
2009049805.tif 000007
【図６】
2009049805.tif 000008